(57)【要約】【課題】  解錠後において、衝撃等で施錠レバーが勝手に受け具側へ回転しないようにして無人の施錠を防止できるようにした扉の施錠装置を提供する。【解決手段】  開き扉４に施錠レバー７を回転自在に取り付け、横向きに回転させた施錠レバー７を下方から受ける受け具８を開き扉４と隣設した枠体１に取り付けた扉の施錠装置において、前記施錠レバー７が、開き扉４の側端から突出しない位置に回転させた状態においてその重心Ｐが回転中心に対して受け具８とは反対側となるように開き扉４側へ膨出させた形状に形成した。【選択図】図４
0003122048.tif 000002
【実用新案登録請求の範囲】
【請求項１】
開き扉に施錠レバーを回転自在に取り付け、横向きに回転させた施錠レバーを下方から受ける受け具を開き扉と隣設した枠体に取り付けた扉の施錠装置において、前記施錠レバーが、開き扉の側端から突出しない位置に回転させた状態においてその重心が回転中心に対して受け具とは反対側となる形状に形成したことを特徴とする、扉の施錠装置。
【請求項２】
施錠レバーが、開き扉の側端から突出しない位置に回転させた状態において受け具とは反対側へ膨出するように湾曲又は折曲した形状である、請求項１記載の扉の施錠装置。
【考案の詳細な説明】
【技術分野】
【０００１】
本考案は、トイレブース等に設置される扉の施錠装置に関する。
【背景技術】
【０００２】
従来、トイレブース等に設置される扉の施錠装置としては特許文献１に開示されている技術がある。この技術は、図８に示すように開き扉１２に施錠レバー１３を横向き時において開き扉１２の側端から突出できるように回転自在に取り付け、突出した横向きの施錠レバー１３を下方から受ける受け具１４を開き扉１２と隣設した枠体１１に取り付けた構造を特徴としている。図中、１３ａは回転軸である。
【０００３】
ところで、前記技術では、施錠レバー１３が枠体１１と接触しない程度のぎりぎりの位置までしか回転させなかった場合、この状態では施錠レバー１３の重心Ｐが回転軸１３ａより受け具１４側に位置しているから、開き扉１２が閉じた衝撃等により施錠レバー１３が受け具１４側へ勝手に回転してしまい、無人の状態で施錠されてしまう問題があった。回転軸１３ａの位置を枠体１１側へ近づけて距離Ｌを小さくすればその分受け具１４側へ回転し難くなるが、取り付け位置の制限や強度等の問題により困難であった。
【特許文献１】実用新案登録第３１０６５９５号公報
【考案の開示】
【考案が解決しようとする課題】
【０００４】
本考案が解決しようとする課題は、従来のこれらの問題点を解消し、解錠後において、衝撃等で施錠レバーが勝手に受け具側へ回転しないようにして無人の施錠を防止できるようにした扉の施錠装置を提供することにある。
【課題を解決するための手段】
【０００５】
かかる課題を解決した本考案の構成は、
１）開き扉に施錠レバーを回転自在に取り付け、横向きに回転させた施錠レバーを下方から受ける受け具を開き扉と隣設した枠体に取り付けた扉の施錠装置において、前記施錠レバーが、開き扉の側端から突出しない位置に回転させた状態においてその重心が回転中心に対して受け具とは反対側となる形状に形成したことを特徴とする、扉の施錠装置
２）施錠レバーが、開き扉の側端から突出しない位置に回転させた状態において受け具とは反対側へ膨出するように湾曲又は折曲した形状である、前記１）記載の扉の施錠装置
にある。
【考案の効果】
【０００６】
本考案によれば、施錠レバーを開き扉の側端から突出しない位置に回転させた状態における重心が回転中心に対して受け具とは反対側となるから、施錠レバーが枠体と接触しない程度のぎりぎりの位置までしか回転させなかった場合においても、開き扉が閉じた衝撃等により施錠レバーは受け具とは反対側へ回転し、無人の状態で施錠される現象を防止できる。
【考案を実施するための最良の形態】
【０００７】
本考案の施錠レバーは、開き扉の側端から突出しない位置に回転させた状態における重心が回転中心に対して受け具とは反対側となるものであれば、形状はどのようなものでもよい。例えば、受け具とは反対側へ膨出するように湾曲又は折曲して重心を偏向させた形状や、重りを開き扉側に取り付けて開き扉側を重くしたものなどが採用できる。以下、本考案の実施例を図面に基づいて具体的に説明する。
【実施例１】
【０００８】
図１〜５に示す実施例は、トイレブースに設置される扉の施錠装置の例である。図１は実施例のトイレブースの平面図、図２は実施例の扉の施錠装置の正面図、図３は図２のＡ−Ａ断面図、図４は実施例の使用状態を示す説明図、図５は実施例の他の例の施錠レバーの説明図、図６，７は実施例の他の例の開き扉の断面図である。図中、１は枠体、２は丁番、３は戸当り、４は開き扉、５は壁パネル、６は便器、７は施錠レバー、７ａは回転軸、８は受け具である。
【０００９】
本実施例は、壁パネル５で複数の部屋に区画するとともに、枠体１と丁番２で揺動自在に枢支した外開き式の開き扉４を配置してトイレブースを構成している。施錠レバー７は、図２，３に示すように受け具８とは反対側へ膨出するように湾曲した先細りの爪状に形成され、開き扉４の内側面に回転自在に取り付けている。施錠レバー７の回転軸７ａは施錠レバー７が横向き時に開き扉４の側端から突出される位置に軸支している。
【００１０】
施錠する際は、図４（ａ）に示すように開き扉４を閉めた後に施錠レバー７を時計廻しに回転して受け具８で下方から支持することで成され、解錠する際は、図４（ｂ）に示すように施錠レバー７を枠体１と接触しない位置まで反時計廻しに回転することで成される。この解錠の際、利用者によっては施錠レバー７を完全に左側に回転させてしまわず中途半端に解錠して終わる場合があり、その後開き扉４が何らかの作用で閉まると、従来ではその衝撃で施錠レバー７が受け具８側に勝手に回転してしまい、無人の状態で施錠されてしまうことがあった。
【００１１】
しかし、本実施例では施錠レバー７を枠体１と接触しない位置まで回転させた状態では重心Ｐが既に開き扉４側に移行しているから、図４（ｂ）に示すように衝撃を受けても受け具８とは反対側へ回転し、勝手に施錠されることがない。また、回転軸７ａの位置を枠体１から離して距離Ｌを大きくしても受け具８側へ回転し難いから、取り付け位置の制限を受けにくく取り付け強度も確保できる。
【００１２】
本実施例はこのように構成したから、施錠レバー７が枠体１と接触しない程度のぎりぎりの位置までしか回転させなかった場合においても、開き扉４が閉じた衝撃等により施錠レバー７は受け具８とは反対側へ回転し、無人の状態で施錠される現象を確実に防止できるようになった。図５に示すのは、実施例の他の例の施錠レバー７であって、このように折曲した形状の施錠レバー７も解錠時に重心Ｐが開き扉４側となるように形成されているから、同様に無人の施錠を防止できる。図６に示すのは、実施例の扉の施錠装置を内開き式の開き扉に適用した例である。図中、８ａは掛止部である。図７に示すのは、実施例の扉の施錠装置を枠体と同一線上に取り付けた通常の開き扉に適用した例である。その他、符号、構成、作用効果は実施例と同じである。
【産業上の利用可能性】
【００１３】
本考案の扉の施錠装置は、店舗，駅，オフィス等のトイレブースに有用である。
【図面の簡単な説明】
【００１４】
【図１】実施例のトイレブースの平面図である。
【図２】実施例の扉の施錠装置の正面図である。
【図３】図２のＡ−Ａ断面図である。
【図４】実施例の使用状態を示す説明図である。
【図５】実施例の他の例の施錠レバーの説明図である。
【図６】実施例の他の例の開き扉の断面図である。
【図７】実施例の他の例の開き扉の断面図である。
【図８】従来の扉の施錠装置の説明図である。
【符号の説明】
【００１５】
１  枠体
２  丁番
３  戸当り
４  開き扉
５  壁パネル
６  便器
７  施錠レバー
７ａ  回転軸
８  受け具
８ａ  掛止部
１１  枠体
１２  開き扉
１３  施錠レバー
１３ａ  回転軸
１４  受け具
【図１】
0003122048.tif 000003
【図２】
0003122048.tif 000004
【図３】
0003122048.tif 000005
【図４】
0003122048.tif 000006
【図５】
0003122048.tif 000007
【図６】
0003122048.tif 000008
【図７】
0003122048.tif 000009
【図８】
0003122048.tif 000010